(57)【要約】【課題】突部によって係止部材が削れるのを防止する。【解決手段】端子金具１０は、筒状の本体部１１と、本体部１１の外側壁１７を外側へ膨出した形態であって、折り返し部２２を挟んで互いに対向する第１、第２片部２３、２４を有し、第１、第２片部２３、２４間に空間部２５が形成された突部２１とを備える。突部２１における第１片部２３、折り返し部２２、及び第２片部２４の連なる方向と直交する方向の端縁がランス６０に係止される被係止縁２７とされる。突部２１の空間部２５における被係止縁２７側の開口を塞ぐ閉塞部材（突片３１、折曲片３２、詰め部材３５）が設けられている。【選択図】図１
2011018566.tif 000002
【特許請求の範囲】
【請求項１】
筒状の本体部と、
前記本体部の壁部を外側へ膨出した形態であって、折り返し部を挟んで互いに対向する第１、第２片部を有し、前記第１、第２片部間に空間部が形成された突部とを備え、
前記突部における前記第１片部、前記折り返し部、及び前記第２片部の連なる方向と直交する方向の端縁が係止部材に係止される被係止縁とされる端子金具において、
前記突部の前記空間部における前記被係止縁側の開口を塞ぐ閉塞部材が設けられていることを特徴とする端子金具。
【請求項２】
前記閉塞部材は、前記本体部側から起立して前記空間部内に進入する突片とされていることを特徴とする請求項１記載の端子金具。
【請求項３】
前記閉塞部材は、前記突部側からの折り曲げによって前記空間部内に進入する折曲片とされていることを特徴とする請求項１記載の端子金具。
【発明の詳細な説明】
【技術分野】
【０００１】
本発明は、端子金具に関する。
【背景技術】
【０００２】
従来の端子金具が特許文献１に開示されている。この端子金具は、角筒状の本体部と、本体部の後方に連なるバレル部とを備えている。バレル部は電線の端末にかしめ接続され、本体部内には前方から相手側のタブが挿入されて接続される。また、本体部には、一方の側壁から上方へ立ち上がったあと下方へ折り返される突部が膨出して形成されている。詳しくは突部は、折り返し部を挟んで相対向する一対の片部を有し、両片部が互いに折り重ねられた形態とされている。
【０００３】
ここで、端子金具は、コネクタハウジングに形成されたキャビティ内に後方から挿入され、突部の後端縁がキャビティの内壁に形成されたランス（係止部材）に弾性的に係止されることで、キャビティ内に抜け止めされる。
【先行技術文献】
【特許文献】
【０００４】
【特許文献１】特開２００９−１１７１１２号公報
【発明の概要】
【発明が解決しようとする課題】
【０００５】
ところで、小型の端子金具の場合には、両片部を密着させるのが成形上難しく、また両片部が密着していると係止部材に対する係止代を大きくとれないという事情もあるため、折り返し部の形状に余裕をもたせ、両片部間に空間部を形成することが考えられる。
しかし、このように両片部間に空間部を形成すると、端子金具を後方へ引っ張ったときに、突部の後端縁によって係止部材が削れてしまい、その削れた部分が空間部に入り込むおそれがある。
【０００６】
本発明は上記のような事情に基づいて完成されたものであって、突部によって係止部材が削れるのを防止することを目的とする。
【課題を解決するための手段】
【０００７】
上記の目的を達成するための手段として、請求項１の発明は、筒状の本体部と、
前記本体部の壁部を外側へ膨出した形態であって、折り返し部を挟んで互いに対向する第１、第２片部を有し、前記第１、第２片部間に空間部が形成された突部とを備え、前記突部における前記第１片部、前記折り返し部、及び前記第２片部の連なる方向と直交する方向の端縁が係止部材に係止される被係止縁とされる端子金具において、前記突部の前記空間部における前記被係止縁側の開口を塞ぐ閉塞部材が設けられているところに特徴を有する。
【０００８】
請求項２の発明は、請求項１に記載のものにおいて、前記閉塞部材は、前記本体部側から起立して前記空間部内に進入する突片とされているところに特徴を有する。
【０００９】
請求項３の発明は、請求項１に記載のものにおいて、前記閉塞部材は、前記突部側からの折り曲げによって前記空間部内に進入する折曲片とされているところに特徴を有する。
【発明の効果】
【００１０】
＜請求項１の発明＞
突部の空間部における被係止縁側の開口が閉塞部材によって塞がれるから、係止部材が空間部に進入するのが防止され、ひいては係止部材が削れるのが防止される。
【００１１】
＜請求項２の発明＞
閉塞部材が本体部側から起立して空間部内に進入する突片とされるため、突部の被係止縁が曲面形状とならずに済み、係止部材との係止代が減少するのを防止できる。
【００１２】
＜請求項３の発明＞
閉塞部材が突部側からの折り曲げによって空間部内に進入する折曲片とされているため、突部の剛性を高めることができる。
【図面の簡単な説明】
【００１３】
【図１】本発明の実施形態１の端子金具の側面図である。
【図２】図１のＡ−Ａ断面図である。
【図３】本体部の変形例を示す断面図である。
【図４】実施形態２の端子金具の図２相当図である。
【図５】図４のＢ−Ｂ断面図である。
【図６】実施形態３の端子金具の図２相当図である。
【発明を実施するための形態】
【００１４】
＜実施形態１＞
本発明の実施形態１を図１ないし図３によって説明する。
実施形態１の端子金具１０は、導電性の金属板を曲げ加工等して一体に成形され、図１に示すように、前後方向に細長い角筒状の本体部１１と、本体部１１の後方に連なるオープンバレル状のバレル部１２、１３とを備えている。バレル部１２、１３は、前方に位置するワイヤバレル１２と、後方に位置するインシュレーションバレル１３とからなる。ワイヤバレル１２は、図示しない被覆電線の端末部を皮剥ぎして露出された芯線にかしめ付けして接続され、インシュレーションバレル１３は、被覆電線の端末部における被覆部分にかしめ付けして接続される。
【００１５】
本体部１１は、幅方向への複数回の折り曲げによって成形され、図２に示すように、バレル部１２、１３側から連なる底壁１４と底壁１４の幅方向両端から立ち上がる一対の側壁１５と、一方の側壁１５から他方の側壁１５に向けて折り曲げられる内側壁１６と、他方の側壁１５から一方の側壁１５に向けて折り曲げられて内側壁１６の外側に配置される外側壁１７とを有している。本体部１１内には撓み可能な弾性接触片１８が形成されている。また、本体部１１の内面には、弾性接触片１８と対向する位置に、受け部１９が内向きに叩き出して形成されている。本体部１１内に図示しない相手端子金具のタブが挿入されると、タブが弾性接触片１８と受け部１９との間に弾性的に挟持され、これによって両端子金具同士の接続がとられる。
【００１６】
本体部１１の外側壁１７には突部２１が外側へ膨出して形成されている。詳しくは突部２１は、全体として角Ｕ字形をなし、折り返し部２２と、折り返し部２２を挟んで互いに対向する第１、第２片部２３、２４とからなる。第１片部２３は他方の側壁１５の上端から折り返し部２２の一端にかけて上方へ立ち上がる形態とされ、第２片部２４は折り返し部２２の他端から内側壁１６に向けて下方へ立ち下がる形態とされている。また、折り返し部２２は一端から他端にかけて略水平に延びる形態とされている。第１、第２片部２３、２４は互いに略平行に配置され、折り返し部２２は内側壁１６及び底壁１４と略平行に配置されている。第１、第２片部２３、２４間で、かつ折り返し部２２と内側壁１６との間には、空間部２５が形成されている。突部２１は、本体部１１の前端から後方へ細長く延びるトンネル状をなし、その前端部には、後述するキャビティへの挿入ガイド部２６がテーパ状に形成されている。
【００１７】
突部２１の後端縁（突部２１における第１片部２３、折り返し部２２、及び第２片部２４が連なる方向と直交する端縁）は、図示しない合成樹脂製のコネクタハウジングに形成された係止部材としてのランス６０に係止される被係止縁２７とされている。
【００１８】
ここで、コネクタハウジングには端子金具１０を挿入可能なキャビティが形成されており、ランス６０はキャビティの内壁に撓み可能に形成されている。また、コネクタハウジングには案内溝がキャビティに沿って形成され、案内溝に突部２１が挿入されることで、端子金具１０のキャビティへの挿入動作が案内されるとともに、端子金具１０のキャビティへの誤挿入が規制される。
【００１９】
ところで、本体部１１の前端縁には、図３に示すように、内側への折り曲げによってこの前端縁を曲面部２９とした屈曲部２８が形成されている。屈曲部２８は、両側壁１５の前端側の内面を叩くことにより、薄肉状の一対の延出片を成形し、この延出片を内側へ密着曲げして形成されている。本実施形態の場合、屈曲部２８は、側壁１５の厚み範囲に収められている。かかる屈曲部２８によって本体部１１の前端縁が曲面部２９とされるため、端子金具１０をキャビティ内に挿入するときに、曲面部２９によってランス６０等のコネクタハウジング側の壁面が削られるのが防止される。また、屈曲部２８の曲面部２９によって相手端子金具のタブが本体部１１内へ円滑に誘い込まれる。なお、本体部１１の前端縁に、この前端縁よりも摩擦係数が低く、滑り性の良好なオイル等の皮膜をコーティング形成することも可能である。
【００２０】
さて、突部２１の空間部２５における後端縁側（被係止縁２７側）の開口は、突片３１によって塞がれた状態となっている。突片３１は、本体部１１の内側壁１６の端部を上方へ略直角に折り曲げ、これによって起立した先端部分を空間部２５内に進入させた形態とされている。突片３１の後端縁は前後方向に関して被係止縁２７と面一の位置又は少し空間部２５内へ引っ込んだ位置に配置されている。
【００２１】
次に、本実施形態の端子金具１０の作用効果を説明する。
コネクタハウジングのキャビティ内に後方から端子金具１０を挿入する。端子金具１０が正規挿入されると、突部２１の被係止縁２７にランス６０が弾性的に係止し、これによって端子金具１０がキャビティ内に抜け止め保持される。その状態で、コネクタハウジングの後面から導出された電線が引っ張られる等されると、ランス６０が突部２１の被係止縁２７に強く食い込み、最悪の場合、被係止縁２７によってランス６０が削られ、その削られた部分が空間部２５内に入り込むおそれがある。
【００２２】
しかるに本実施形態によれば、突部２１の空間部２５における後端縁側の開口が突片３１によって塞がれているから、ランス６０が削られるのが突片３１によって喰い止められる。このため、ランス６０が所定の形態に保たれ、ランス６０の係止力が減退するのが防止される。
【００２３】
また、折り返し部２２の後端から延びる舌片を下方へ折り曲げて空間部を閉塞する場合と違って、被係止縁２７に曲面形状が形成されないため、ランス６０に対する係止代が減少するのが防止される。
【００２４】
＜実施形態２＞
図４及び図５は、本発明の実施形態２を示す。実施形態２では、突片３１の代わりに折曲片３２を用いて突部２１の空間部２５を閉塞しており、この点で実施形態１とは異なる。その他は、実施形態１と同様であるため、実施形態１と同様の構成には同一符合を付し、重複する説明は省略する。
【００２５】
折曲片３２は、第１、第２片部２３、２４の両後端から後方へ突出する一対の張出片を内側へ折り曲げて空間部２５内に進入させた形態とされている。詳しくは両折曲片３２は、図５に示すように、第１、第２片部２３、２４の両後端から内側へ折り返されて第１、第２片部２３、２４の内面に沿って配置され、これによって第１、第２片部２３、２４に密着重ねされた形態とされている。また、折曲片３２の後端縁には折り曲げに伴って曲面部３３が形成されている。曲面部３３の後端は、折曲片３２と折り返し部２２の両後端間に形成されたスリット３４を介することにより、折り返し部２２の後端と同じ前後位置に揃えられている。この曲面部３３の後端は、折り返し部２２の後端と同様、ランス６０に係止される被係止縁２７を構成する。
【００２６】
実施形態２によれば、突部２１側からの折り曲げによって折曲片３２が形成されるため、成形が容易であるとともに、突部２１の剛性を高めることができる。
【００２７】
＜実施形態３＞
図６は、本発明の実施形態３を示す。実施形態３では、突部２１の空間部２５を閉塞する手段として、端子金具１０とは別体の詰め部材３５を用いている。詰め部材３５は、突部２１の空間部２５における後端縁側の隙間を詰める大きさのブロック状をなし、空間部２５内に嵌着されている。その他の構成は、実施形態１と同様である。
【００２８】
＜他の実施形態＞
本発明は上記記述及び図面によって説明した実施形態に限定されるものではなく、例えば次のような実施形態も本発明の技術的範囲に含まれる。
（１）突部は断面Ｕ字形又は断面半円形であってもよい。
（２）突部の被係止縁には、コネクタハウジングに装着されるリテーナの係止突部が係止されるものであってもよい。
（３）閉塞部材は、第１、第２片部の少なくともいずれかに切り込みを入れ、その切り込みの内側の切片を空間部内へ曲げ起こして形成されるものであってもよい。
（４）突部の形成位置は任意であり、例えば、本体部の幅方向中央部に形成されていてもよい。
【符号の説明】
【００２９】
１０…端子金具
１１…本体部
２１…突部
２２…折り返し部
２３…第１片部
２４…第２片部
２５…空間部
２７…被係止縁
３１…突片（閉塞部材）
３２…折曲片（閉塞部材）
３５…詰め部材（閉塞部材）
６０…ランス（係止部材）
【図１】
2011018566.tif 000003
【図２】
2011018566.tif 000004
【図３】
2011018566.tif 000005
【図４】
2011018566.tif 000006
【図５】
2011018566.tif 000007
【図６】
2011018566.tif 000008